(57)【要約】【課題】簡易な形状で、棒状体の保持角度を変更し得る棒状体の保持具を提供する。【解決手段】  棒状体２を挿入し得るよう複数の外孔７を形成した外側プレート３と、外側プレート３の内側に位置して棒状体２を挿入し得るよう内孔１０を形成した内側プレート４とを備える棒状体２の保持具１であって、  棒状体２を保持する際には、複数の外孔７から一つを選択し、選択した外孔７から内孔１０へ棒状体２を挿入して保持するよう構成される。【選択図】図１
2006071867.tif 000002
【特許請求の範囲】
【請求項１】
棒状体を挿入し得るよう複数の外孔を形成した外側プレートと、該外側プレートの内側に位置して前記棒状体を挿入し得るよう内孔を形成した内側プレートとを備える棒状体の保持具であって、
前記棒状体を保持する際には、複数の外孔から一つを選択し、選択した外孔から内孔へ棒状体を挿入して保持するよう構成されたことを特徴とする棒状体の保持具。
【請求項２】
棒状体の先端を支持する支持面を、外側プレート及び／又は内側プレートに備えたことを特徴とする請求項１記載の棒状体の保持具。
【請求項３】
外側プレート及び／又は内側プレートを固定する取付プレートを備え、前記取付プレートを垂直面に取り付けた場合と水平面に取り付けた場合では、いずれも棒状体の保持角度を同じにするよう外孔が形成されたことを特徴とする請求項１又は２記載の棒状体の保持具。
【請求項４】
外側プレートを周回させて形成すると共に外側プレートに内側プレートを備えたことを特徴とする請求項１〜３のいずれかに記載の棒状体の保持具。
【発明の詳細な説明】
【技術分野】
【０００１】
本発明は、旗の軸部等を保持し得る棒状体の保持具に関するものである。
【背景技術】
【０００２】
一般に、パチンコやスロット等の遊戯台には、客の注目を集めるよう旗を立てて種々の情報等を表わすことがある。
【０００３】
旗を立てる際には、旗の軸部を保持し得る保持具をパチンコやスロット等の遊戯台の壁面もしくは上面に備え付けることにより旗を立てるようにしている。ここで、旗を立てる保持具には種々のものがある（例えば、特許文献１、２参照）。
【特許文献１】実開平７−５１７６号公報
【特許文献２】特開平７−２８１６２３号公報
【発明の開示】
【発明が解決しようとする課題】
【０００４】
しかしながら、旗を立てる保持具は、旗の保持角度を変更し得るように構成にすると、複雑な機構になり、製造コストが著しく高くなるという問題があった。
【０００５】
本発明は、上述の実情に鑑み、簡易な形状で、棒状体の保持角度を変更し得る棒状体の保持具を提供することを目的とするものである。
【課題を解決するための手段】
【０００６】
本発明は、棒状体を挿入し得るよう複数の外孔を形成した外側プレートと、該外側プレートの内側に位置して前記棒状体を挿入し得るよう内孔を形成した内側プレートとを備える棒状体の保持具であって、
前記棒状体を保持する際には、複数の外孔から一つを選択し、選択した外孔から内孔へ棒状体を挿入して保持するよう構成されたことを特徴とする棒状体の保持具にかかるものである。
【０００７】
本発明は、棒状体の先端を支持する支持面を、外側プレート及び／又は内側プレートに備えることが好ましい。
【０００８】
又、本発明は、外側プレート及び／又は内側プレートを固定する取付プレートを備え、前記取付プレートを垂直面に取り付けた場合と水平面に取り付けた場合では、いずれも棒状体の保持角度を同じにするよう外孔が形成されることが好ましい。
【０００９】
更に、本発明は、外側プレートを周回させて形成すると共に外側プレートに内側プレートを備えることが好ましい。
【００１０】
このように、本発明の棒状体の保持具によれば、複数の外孔から一つを選択し、選択した外孔から内孔へ棒状体を挿入して保持するので、棒状体の保持角度を変更することができると共に、簡易な構造で製造コストを低減することができる。
【００１１】
棒状体の先端を支持する支持面を、外側プレート及び／又は内側プレートに備えると、選択した外孔と内孔とで棒状体を支持するのみならず、支持面でも棒状体を支持し得るので、棒状体の保持角度を変更することができると同時に、棒状体を安定に保持することができる。
【００１２】
外側プレート及び／又は内側プレートを固定する取付プレートを備え、前記取付プレートを垂直面に取り付けた場合と水平面に取り付けた場合では、いずれも棒状体の保持角度を同じするよう外孔が形成されると、垂直面又は水平面に関係なく棒状体を同じ保持角度で保持し得るので、棒状体の保持角度を変更することができると同時に、取付プレートの配置の自由度を高めて棒状体を容易に保持することができる。
【００１３】
外側プレートを周回させて形成すると共に外側プレートに内側プレートを備えると、簡易な構造で製造コストを一層低減することができると共に、全体の美観を高めることができる。
【発明の効果】
【００１４】
以上説明したように、本発明の棒状体の保持具によれば、簡易な形状で、棒状体の保持角度を変更することができるという優れた効果を奏し得る。
【発明を実施するための最良の形態】
【００１５】
以下、本発明の実施の形態を図面に基いて説明する。
【００１６】
図１〜図４は、本発明の棒状体の保持具を実施する形態例である。
【００１７】
本発明の実施の形態例における棒状体の保持具１は、旗等の表示物の軸部、筆記用具、花等の装飾品の軸部の棒状体２を保持するためのものであって、円環状に湾曲した外側プレート３と、円環状の外側プレート３の一端から延在して外側プレート３の円環内に位置する内側プレート４と、外側プレート３と内側プレート４を固定する平板状の取付プレート５とを備えている。
【００１８】
外側プレート３は、所定幅の平板を延在方向で湾曲して円環状に構成されており、外側プレート３の両端には、平板状の取付プレート５を溶接等で接続し得る平面状の接続面６を形成している。又、外側プレート３の周面には、円環の中心から反取付プレート方向へ向かう複数の外孔７を備えている（図では３個）。
【００１９】
内側プレート４は、複数の外孔７を備えた外側プレート３の周面部分８から所定の距離Ｌ１を介すると共に複数の外孔７と反対側の外側プレート３の周面部分９から所定の距離Ｌ２を介するよう、接続面６の端側から外側プレート３の円環内周面へ近接するまで延在しており、更に、複数の外孔７を備えた外側プレート３の周面部分８と略同じ方向へ湾曲するよう、外孔７の方向へ向かって円弧状に湾曲している。又、内側プレート４の周面には、外側プレート３の複数の外孔７に対向する一つの内孔１０を備えている。
【００２０】
取付プレート５は、外側プレート３の幅と略同じ幅を有して接続面６と同じ平面方向へ延在すると共に、外側プレート３の円環の径より長くなるように構成されており、外側プレート３と反対側の裏面には、垂直な取付場所（垂直面）や水平な取付場所（水平面）に取り付け得るよう、両面テープ等の接着面１１を備えている。ここで、取付プレート５は、取付場所が湾曲する場合であっても、取付場所に追従して変形し得るよう湾曲可能な厚さで構成されている。
【００２１】
ここで、外側プレート３の外孔７が三つある場合で、外側プレート３の外孔７と、内側プレート４の内孔１０との関係を具体的に説明すると、第一の外孔７ａと内孔１０を結ぶ軸線は、取付プレート５に対して約３０゜になっており、第二の外孔７ｂと内孔１０を結ぶ軸線は、取付プレート５に対して約４５゜になっており、第三の外孔７ｃと内孔１０を結ぶ軸線は、取付プレート５に対して約６０゜になっている。これにより、取付プレート５を垂直な取付場所（垂直面）に取り付けた場合及び取付プレート５を水平な取付場所（水平面）に取り付けた場合において、外孔７と内孔１０を結ぶ軸線は、いずれも水平な基準面に対して約３０゜、約４５゜、約６０゜の角度を有することになる。なお、取付プレート５を垂直な取付場所（垂直面）に取り付けた場合及び取付プレート５を水平な取付場所（水平面）に取り付けた場合に、いずれも水平な基準面に対して同じ角度を有するならば、複数の外孔７を外側プレート３のどの位置に形成してもよい。
【００２２】
以下、本発明を実施する形態例の作用を説明する。
【００２３】
棒状体２を保持する際には、棒状体２が所望の角度になるよう複数の外孔７から一つを選択し、棒状体２を外孔７の一つから内孔１０へ挿入して棒状体２の先端を外側プレート３の裏面の支持面１２に当接させ、棒状体２を外孔７の一つ及び内孔１０で支持すると共に棒状体２の先端を支持面１２で支持し、棒状体２を保持する。この時、棒状体２の径の大きさ、もしくは内孔１０の径の大きさによっては、棒状体２を外孔７の一つで支持すると共に棒状体２の先端を内孔１０で挟み込み、支持面１２を使用しなくても良い。又、棒状体２の先端を支持する支持面１２は、外側プレート３でなく、内側プレート４もしくは取付プレート５に形成しても良い。
【００２４】
一方、棒状体２の保持角度を変更する場合には、複数の外孔７から他の一つを選択し、棒状体２を外孔７の他の一つから内孔１０へ挿入して棒状体２の先端を外側プレート３の裏面の支持面１２に当接させ、棒状体２を外孔７の他の一つ及び内孔１０で支持すると共に棒状体２の先端を支持面１２で支持し、棒状体２を異なる角度で保持する。
【００２５】
このように、本形態例の棒状体の保持具によれば、複数の外孔７から一つを選択し、選択した外孔７から内孔１０へ棒状体２を挿入して保持するので、棒状体２の保持角度を変更することができると共に、簡易な構造で製造コストを低減することができる。
【００２６】
棒状体２の先端を支持する支持面１２を、外側プレート３及び／又は内側プレート４に備えると、選択した外孔７と内孔１０とで棒状体２を支持するのみならず、支持面１２でも棒状体２を支持し得るので、棒状体２の保持角度を変更することができると同時に、棒状体２を安定に保持することができる。
【００２７】
外側プレート３及び／又は内側プレート４を固定する取付プレート５を備え、取付プレート５を垂直面に取り付けた場合と水平面に取り付けた場合では、いずれも棒状体２の保持角度を同じするよう外孔７が形成されると、取付場所の垂直面又は水平面に関係なく棒状体２を同じ保持角度で保持し得るので、棒状体２の保持角度を変更することができると同時に、取付プレート５の配置の自由度を高めて棒状体２を容易に保持することができる。
【００２８】
外側プレート３を周回させて形成すると共に外側プレート３に内側プレート４を備えると、簡易な構造で製造コストを一層低減することができると共に、全体の美観を高めることができる。又、外側プレート３及び内側プレート４を一枚の平板から製造すると、製造コストを更に一層低減することができる。
【００２９】
又、外側プレート３と内側プレート４により、複数の外孔７を備えた外側プレート３の周面部分８から所定の距離Ｌ１が、複数の外孔７と反対側の外側プレート３の周面部分９から所定の距離Ｌ２よりも長くなると、外孔７と内孔１０により棒状体２を安定且つ好適に保持することができる。更に、内側プレート４に複数の内孔１０を形成した場合には、複数の外孔７と複数の内孔１０により複数本の棒状体２を保持することができる。
【００３０】
なお、本発明は、上述の実施の形態にのみ限定されるものではなく、外側プレート及び内側プレートは、同じ作用効果を生じるならば他の形状でもよいこと、外側プレートと内側プレートを別々の部材にしても良いこと。外孔及び内孔の数は実施例の数に限定されるものでなく、他の個数でも良いこと、その他、本発明の要旨を逸脱しない範囲内において種々変更を加え得ることは勿論である。
【図面の簡単な説明】
【００３１】
【図１】本発明の実施の形態例を示す斜視図である。
【図２】本発明の実施の形態例を示す側面図である。
【図３】図２のＩＩＩ−ＩＩＩ方向の矢視図である。
【図４】図２のＩＶ−ＩＶ方向の矢視図である。
【符号の説明】
【００３２】
１    保持具
２    棒状体
３    外側プレート
４    内側プレート
５    取付プレート
７    外孔
１０    内孔
１２    支持面
【図１】
2006071867.tif 000003
【図２】
2006071867.tif 000004
【図３】
2006071867.tif 000005
【図４】
2006071867.tif 000006